(57)【特許請求の範囲】
【請求項１】
（１）流し台、または、洗面台の水槽の側面、（２）前記水槽に水を流す蛇口の後方にある壁面、または、（３）前記水槽に水を流す蛇口の吐水管の下部に設けられた一、または、複数のスピーカと、
前記スピーカより低い位置の前記水槽の側面または底面に設けられた一、または、複数のマイクと、
前記マイクによって検出した検出音と干渉して、前記検出音を減衰させる制御音を前記スピーカから発生させる制御部と、
前記流し台の蛇口から前記水槽に水を吐出している状態を検出する吐水検出部と、
を有し、
前記吐水検出部が前記水の吐出状態を検出しているときに、前記制御部は前記制御音を発生させる、ことを特徴とする水槽の遮音装置。
【請求項２】
前記スピーカは、無指向性である、ことを特徴とする請求項１に記載の水槽の遮音装置。
【発明の詳細な説明】
【技術分野】
【０００１】  本発明は、台所に設置されるキッチンなどの流し台の水槽、または、洗面所の洗面台の水槽の遮音装置に関するものである。
【背景技術】
【０００２】  近年、台所であるキッチンはダイニングやリビングに向けて開放されており、そのキッチンで調理または後片付けのときに蛇口から吐出する水が、流し台のシンク槽に強く当たり、大きな音が発生していた。【０００３】  そのため、従来より、この音を低減するために、シンク槽に制音用シートを設けたり（例えば、特許文献１参照）、排水口内部にヘルムホルツ共鳴型消音部材を設けた流し台が提案されている（例えば、特許文献２参照）。
【特許文献１】  特開２００５−１３３４１１公報
【特許文献２】  特開２０００−２０６５５６公報
【発明の開示】
【発明が解決しようとする課題】
【０００４】  しかしながら、特許文献１のシンク槽に制音用シートを設けた場合には、シンク槽から発生する衝撃音などは低減することができるが、皿などの食器に水が当たった音を低減するはできないという問題点があった。【０００５】  また、特許文献２のヘルムホルツ共鳴型消音部材の場合には、排水騒音を低減することはできるが、シンク槽から発生する衝撃音や、上記のような食器に水が当たったときの音を低減することはできないという問題点があった。【０００６】  そこで、本発明は上記問題点に鑑み、流し台または洗面台の水槽から発生する音及び食器に水が当たったときに発生する音を低減、または、遮音することができる水槽の遮音装置を提供する。
【課題を解決するための手段】
【０００７】本発明は、（１）流し台、または、洗面台の水槽の側面、（２）前記水槽に水を流す蛇口の後方にある壁面、または、（３）前記水槽に水を流す蛇口の吐水管の下部に設けられた一、または、複数のスピーカと、前記スピーカより低い位置の前記水槽の側面または底面に設けられた一、または、複数のマイクと、前記マイクによって検出した検出音と干渉して、前記検出音を減衰させる制御音を前記スピーカから発生させる制御部と、前記流し台の蛇口から前記水槽に水を吐出している状態を検出する吐水検出部と、を有し、前記吐水検出部が前記水の吐出状態を検出しているときに、前記制御部は前記制御音を発生させる、ことを特徴とする水槽の遮音装置である。
【発明の効果】
【００１０】  本発明によれば、制御音と検出音とが干渉して減衰することにより、水槽から発生する音を低減、または、遮音することができる。
【発明を実施するための最良の形態】（第１の実施形態）【００１１】  以下、本発明の第１の実施形態の流し台１０について図１〜図３に基づいて説明する。【００１２】  流し台１０のキャビネット１２の上面には、水槽であるシンク槽１４が設けられている。なお、図１では、水で洗っている皿５０が浮いているように記載しているが、これはこの皿５０を洗うユーザの手を省略しているためである。【００１３】（１）シンク槽１４の構成
シンク槽１４の構成について図１及び図２に基づいて説明する。【００１４】  シンク槽１４は、図２に示すように、前面１６、後面１８、左側面２０、右側面２２、底面２４とから構成されている。なお、ここで前面１６とは、ユーザが立つ側をいう。底面２４のほぼ中心部には排水口２６が設けられている。【００１５】  後面１８の後方、すなわちシンク槽１４の後方の流し台１０の上面には、蛇口２８が取り付けられている。この蛇口２８は、蛇口２８の本体の上部にあるハンドル３０を開栓すると、蛇口２８の本体から前方に延びた吐水管３２の先端下部から、シンク槽１４に向かって水、または、湯が吐出する。【００１６】（２）遮音装置３４の構成
次に、流し台１０に取り付けられる遮音装置３４の構成について説明する。【００１７】  遮音装置３４は、図３に示すように４個のスピーカ３６〜４２、１個のマイク４４、スイッチ４６、マイコンなどよりなる制御部４８とから構成されている。【００１８】  スピーカ３６〜４２は、図１に示すようにそれぞれシンク槽１４の側面である前面１６、後面１８、左側面２０、右側面２２の上部に取り付けられている。これら４個のスピーカ３６〜４２は、水や湯が掛かっても機能を損なわないように防水構造である。また、スピーカ３６〜４２は、図１において、側方から見た状態では点線の矢印に示すように、水平方向に音の出力の指向性を有し、図２において、平面から見た状態では点線の矢印に示すように音が拡がるように出力する。【００１９】  マイク４４は、図１、２に示すようにシンク槽１４の後面１８に取り付けられている。但し、スピーカ３８の位置よりも低い位置に取り付けられている。マイク４４もスピーカ３６〜４２と同様に防水構造である。【００２０】  スイッチ４６は、蛇口２８のハンドル３０の開栓を検出し、このスイッチ４６がＯＮ状態になると、蛇口２８のハンドル３０が開栓されて水が流れている状態であると判断できる。すなわち、スイッチ４６は、吐水検出部の役割を果たすものであり、蛇口２８の本体内部に取り付けられ、ハンドル３０の回転と連動してＯＮ／ＯＦＦする。【００２１】  制御部４８は、図３に示すように４個のスピーカ３６〜４２、マイク４４及びスイッチ４６と接続されている。そして、この制御部４８は、マイク４４によって検出した検出音を減衰するように、検出音と逆位相で、かつ、同じ音圧の制御音を出力して、４個のスピーカ３６〜４２から発生させる。【００２２】（３）遮音装置３４の動作
次に、上記構成の遮音装置３４の動作状態について説明する。【００２３】  まず、ユーザが流し台１０の前方に立ち、皿５０などを洗う場合に、先ず蛇口２８のハンドル３０を開栓すると、吐水管３２の先端から水がシンク槽１４に向かって流れる。【００２４】  すると、スイッチ４６がＯＮ状態となり、マイク４４が音を検出する。マイク４４で検出する音は、シンク槽１４に水が当たって発生する衝撃音や反射音、排水口２６から発生する音及び図１に示すように皿５０に当たって反射する音を検出する。マイク４４は、スピーカ３８よりも下方に位置しているため、制御音で遮音されていない音を検出する。【００２５】  次に、制御部４８は、マイク４４によって検出した検出音と干渉して、検出音を減衰するように、検出音と逆位相で、かつ、同じ音圧の制御音を出力して、４個のスピーカ３６〜４２から発生させる。スピーカ３６〜４２によって発生する音は、上記したように、シンク槽１４に水が当たって発生する衝撃音や反射音、排水口２６から発生する音及び皿５０に当たって反射する音などの全ての音を合わせた検出音に対する制御音であるため、これら全ての音に対して遮音効果を有する。さらに、スピーカ３６〜４２は、側面から見ると水平方向に音の出力の指向性を有し、平面から見ると音が拡がるように出力するため、シンク槽１４から上方に向かって発生した音をシンク槽１４の上端部で確実に捕らえて、制御音によって遮音することができる。【００２６】（４）効果
上記のように従来では、シンク槽１４から発生するだけの音や、排水口２６から発生する音だけを低減していたが、本実施形態では、これらシンク槽１４から発生する音、排水口２６から発生する音に加え、皿５０などの食器などに水が当たって発生する音も低減または遮音することができる。【００２７】  また、制御音で遮音する位置は、皿５０をシンク槽１２で洗うユーザの耳の位置より低い位置であるため、ユーザもシンク槽１４からの音が遮音され、家族の話声やテレビの音などの流し台１０の回りの音が聞こえる。【００２８】  また、スイッチ４６を有しているため、蛇口２８からの水の流れと連動して、制御音を発生させることができるので、水が流れていない遮音装置３４が不要なときには制御音が発生しない。【００２９】（第２の実施形態）
次に、第２の実施形態の流し台１０について図４に基づいて説明する。【００３０】  第１の実施形態では、４個のスピーカ３６〜４２をシンク槽１４の前面１６、後面１８、左側面２０、右側面２２に設け、マイク４４をスピーカ３８の下方に取り付けて、遮音を行っていた。しかしながら、これに代えて本実施形態では、図４に示すように、１個のスピーカ５２とマイク４４をシンク槽１４の底面２４に取り付ける。なお、スピーカ５２から出力される音は、上方に全て拡がる無指向性でよい。【００３１】  この場合、スピーカ５２は、底面２４に取り付けられているため制御音は下から上に向かって発生される。そのため、このスピーカ５２と同じ高さまたはそれより少し高い程度にマイク４４を取り付けていても、シンク槽１４内部で発生する音をマイク４４で検出でき、スピーカ５２から、それに対応した制御音を発生させることができる。【００３２】  なお、マイク４４は、底面２４に限らず、側面１６，１８，２０，２２の下部に取り付けてもよい。また、スピーカ５２は、１個に限らす複数でもよい。【００３３】（第３の実施形態）
次に、第３の実施形態の流し台１０について図５に基づいて説明する。【００３４】  第１の実施形態では、スピーカ３６〜４２をシンク槽１４の側面に取り付けたが、これに代えて、本実施形態では蛇口２８の後方にある流し台１０の壁面５６に１個のスピーカ５４を取り付けている。スピーカ５４は、図５に示すように、側方から見た状態では点線の矢印に示すように、水平方向に音の出力の指向性を有している。なお、スピーカ５４は、１個に限らす複数でもよい。【００３５】  本実施形態でも、シンク槽１４から発生する音、排水口２６から発生する音に加え、皿５０などの食器などに水が当たって発生する音も低減または遮音することができる。【００３６】  また、制御音で遮音する位置は、ユーザの耳の位置より低い位置であるため、ユーザもシンク槽１４からの音が遮音され、家族の話声やテレビの音などの流し台１０の回りの音が聞こえる。【００３７】（第４の実施形態）
次に、第４の実施形態の遮音装置３４について図６に基づいて説明する。【００３８】  本実施形態と第３の実施形態の異なる点は、スピーカ５４を壁面５６に設けたが、本実施形態では、図６に示すように、吐水管３２の下部に１個のスピーカ５４を取り付けている。なお、スピーカ５４は、１個に限らす複数でもよい。【００３９】  本実施形態の遮音装置３４であっても、スピーカ５４から制御音を発生させて、シンク槽１４からの音を遮音することができる。【００４０】（変更例）
本発明は上記各実施形態に限らず、その主旨を逸脱しない限り種々に変更することができる。【００４１】（１）変更例１
上記実施形態では流し台１０のシンク槽１４について説明したが、これに限らず洗面台の水槽である洗面ボールに遮音装置３４を設けることにより、洗面台から発生する音を低減または遮音することができる。【００４２】（２）変更例２
上記第１の実施形態では、シンク槽１４の各側面１６〜２２に１個ずつスピーカ３６〜４２を設けたが、これに限らず、複数個ずつ設けてもよい。また、スピーカは一側面（前面１６、後面１８、左側面２０、または、右側面２２）のみに１個設けてもよいし、相対向する両側面や隣接する２側面に設けてもよいし、３つの側面に設けてもよい。【００４３】（３）変更例３
上記第１の実施形態では、シンク槽１４の後面１８のスピーカ３８の下方にマイク４４を設けたが、スピーカ３６〜４２より低い位置であれば、他の一側面（前面１６、左側面２０、または、右側面２２）、または、底面２４に設けてもよい。【００４４】（４）変更例４
上記第１の実施形態では、スピーカ３６〜４２は、図１において、側方から見た状態では点線の矢印に示すように、水平方向に音の出力の指向性を有していたが、これに限らず、水平方向よりやや上方に向いた指向性、すなわち、水平方向に対し仰角が０度から４０度でもよい。また、スピーカ３６〜４２は、側方から見た状態で無指向性でもよい。【００４５】（５）変更例５
上記第１、３、４の実施形態では、マイク４４を後面１８に１個設けたが、これに限らず、各側面１６〜２２にそれぞれ設け、これら４個のマイクの検出音を合成して、この合成した検出音に対し制御音を発生させてもよい。また、上記第２の実施形態では、マイク４４を底面２４に１個設けたが、これに限らず、底面２４に複数設け、これら複数のマイクの検出音を合成して、この合成した検出音に対し制御音を発生させてもよい。【００４６】  また、上記のような合成を行わず、各側面１６〜２２にマイクとスピーカをそれぞれ一対設け、そして、前面１６のマイクで検出した音に基づいて、前面１６にあるスピーカ３６から制御音を発生させ、後面１８のマイクで検出した音に基づいて、後面１８にあるスピーカ３８から制御音を発生させる。他の側面２０，２２も同様にそれぞれのマイクで検出した音に基づいて、制御音をその対応するスピーカ４０，４２から独立して発生させてもよい。【００４７】（６）変更例６
上記各実施形態では、吐水検出部として、蛇口２８に設けたスイッチ４６を設けたが、これに限らず、水が流れている状態を検出できる構成であれば、他の構成でもよい。例えば、蛇口２８に通じる配水管内部に、水の流れを検出するセンサーを設けて、このセンサーの検出結果に基づいて、判断してもよい。また、吐水検出部を設けず、流し台１０にスイッチを設け、ユーザが手動でこのスイッチをＯＮ状態にして、遮音装置３４を動作させてもよい。
【図面の簡単な説明】
【００４８】
【図１】  本発明の第１の実施形態の流し台の縦断面図である。
【図２】  同じく流し台の平面図である。
【図３】  同じく遮音装置のブロック図である。
【図４】  第２の実施形態の流し台の縦断面図である。
【図５】  第３の実施形態の流し台の側方から見た縦断面図である。
【図６】  第４の実施形態の流し台の側方から見た縦断面図である。
【符号の説明】
【００４９】１０・・・流し台、１４・・・シンク槽
１６・・・前面、１８・・・後面
２０・・・左側面、２２・・・右側面
２４・・・底面、２８・・・蛇口
３４・・・遮音装置、３６〜４０・・・スピーカ
４４・・・マイク、４６・・・スイッチ
４８・・・制御部
【図１】
0004766400.tif 000002
【図２】
0004766400.tif 000003
【図３】
0004766400.tif 000004
【図４】
0004766400.tif 000005
【図５】
0004766400.tif 000006
【図６】
0004766400.tif 000007